(57)【要約】【課題】コンロ本体（１）の上面にトッププレート（１２）を被覆させる形式のコンロの梱包構造に関し、トッププレート（１２）の中央部分に外的衝撃を与えないように梱包できるようにすること。【解決手段】コンロ本体（１）の両側方に配設される一対のサイド部材（２）と、サイド部材（２）の上方にそれぞれ配設され且つトッププレート（１２）の両側辺部が架設される一対のプレート支持部材（３０）と、プレート支持部（３０）の上面にそれぞれ配設され且つ所定の高さを有する一対のスペーサ（３１ａ）（３１ｂ）と、スペーサ（３１ａ）（３１ｂ）相互間に架設され且つトッププレート（１２）の略中央域の上方を被覆する梁部材（３２ａ）（３２ｂ）（３３ａ）（３３ｂ）とからなる梱包材を具備させたこと。【選択図】      図１
2004210393.tif 000002
【特許請求の範囲】
【請求項１】
コンロ本体の上面にトッププレートを被覆させる形式のコンロの梱包構造において、
前記コンロ本体の両側方に配設される一対のサイド部材と、
前記サイド部材の上方にそれぞれ配設され且つ前記トッププレートの両側辺部が架設される一対のプレート支持部材と、
前記プレート支持部材の上面にそれぞれ配設され且つ所定の高さを有する一対のスペーサと、
前記スペーサ相互間に架設され且つ前記トッププレートの略中央域の上方を被覆する梁部材とからなる梱包材を具備することを特徴とするコンロの梱包構造。
【請求項２】
請求項１に記載のコンロの梱包構造において、システムキッチンのカウンタートップに形成される開口の周縁に支持させるための外周フランジ部が、前記コンロ本体の上端から外方へ向かって水平方向に張り出しており、
前記トッププレートは、前記外周フランジ部を含む前記コンロ本体の上面全域を被覆し得る大きさに設定されており、
前記サイド部材は、前記コンロ本体の左右両側にて前記外周フランジ部の左右両側片部を下方から水平に支持する機能を有し、
前記プレート支持部材は、前記外周フランジ部の前記左右両側片部の上面にそれぞれ配設されるコンロの梱包構造。
【請求項３】
請求項１又は２に記載のコンロの梱包構造において、前記トッププレートの上面全域を被覆する被覆板が設けられ、前記一対のスペーサは、前記被覆板の対向する両辺に沿って一体的に配設された角材状部材であるコンロの梱包構造。
【請求項４】
請求項１から３のいずれかに記載のコンロの梱包構造において、前記梁部材は、前記スペーサに対して直角方向に架設される複数の角材状部材からなり、前記角材状部材の底面相互あるいは頂面相互は板部材によって連結されているコンロの梱包構造。
【請求項５】
請求項１から４のいずれかに記載のコンロの梱包構造において、前記梱包材は、各々、段ボール紙を折り曲げて組み立てられることにより構成されているコンロの梱包構造。
【発明の詳細な説明】
【０００１】
【発明の属する技術分野】
本発明は、コンロの梱包構造、特に、コンロ本体の上方に被覆させるトッププレートの損傷防止構造を備えた梱包構造に関するものである。
【０００２】
【従来の技術】
システムキッチンのカウンタートップに設けた開口内に落とし込み状態に装着される、所謂、ドロップインコンロを梱包する構造として、例えば、図４に示すような梱包構造が知られている。
【０００３】
このものでは、上方開放の矩形箱状に形成されたコンロ本体（１）は、前記コンロ本体（１）の左右側方に各々配設されたサイドパット（４）（４）に載置されており、前記コンロ本体（１）の上端に周設された外周フランジ部（１０）の上面外周部には、矩形枠状のスペーサ（４０）が載置されている。前記スペーサ（４０）には、コンロ本体（１）の上端開口部に被覆されるトッププレート（１２）が載置され、さらに、前記トッププレート（１２）の上面にはトッププレート保護用のベニヤ板（４１）が重ねられている。そして、このベニヤ板（４１）の上には、ドロップインコンロの組み立てに必要な各種部品や附属品等の小物（Ｐ）が載置されている。このセット状態で、被梱包物全体が段ボール製の外箱（４４）に箱詰めされる。
【０００４】
このものでは、収納状態において、前記コンロ本体（１）は、一対の前記サイドパット（４）によって保護されると共に、トッププレート（１２）は、ベニヤ板（４１）によって保護された状態で保管又は搬送が可能となる。
【０００５】
【特許文献１】
特開２００２−３０２１５５号公報
【特許文献２】
特開２０００−７４２３９号公報
【０００６】
【発明が解決しようとする課題】
しかしながら、上記従来のものでは、前記トッププレート（１２）の上面全域をベニヤ板（４１）によって被覆させているだけであるから、その中央部分に上方から大きな衝撃が加わった場合、前記衝撃は、ベニヤ板（４１）を介して、トッププレート（１２）の中央部分に伝えられる。トッププレート（１２）は、枠状のスペーサ（４０）上に載置されていることから、その周域のみが支持された態様となっており、その中央部分は下方からなんら支持されていない。よって、前記トッププレート（１２）の中央部分は前記衝撃によりかかる荷重によって、変形又は損傷してしまうといった不都合がある。特に、トッププレートがガラス製の場合、破損し易く危険である。
本発明は、『コンロ本体の上面にトッププレートを被覆させる形式のコンロの梱包構造』において、トッププレートの中央部分に外的衝撃を与えないように梱包できるようにすることを課題とする。
【０００７】
【課題を解決するための手段】
＊１項
上記課題を解決するための本発明の技術的手段は、『前記コンロ本体の両側方に配設される一対のサイド部材と、
前記サイド部材の上方にそれぞれ配設され且つ前記トッププレートの両側辺部が架設される一対のプレート支持部材と、
前記プレート支持部材の上面にそれぞれ配設され且つ所定の高さを有する一対のスペーサと、
前記スペーサ相互間に架設され且つ前記トッププレートの略中央域の上方を被覆する梁部材とからなる梱包材を具備するようにした』ことである。
上記技術的手段は次のように作用する。
【０００８】
上記した各梱包材を使用して梱包された状態のコンロの中央部分に、上方から衝撃が加えられた場合、前記衝撃は、まず梁部材の中央部で受けることとなるが、前記梁部材はその両端をスペーサに架設させた状態で配設されているから、荷重は梁部材を介して左右方向へ分散され、前記梁部材の両端から下方のスペーサにそれぞれ伝達される。スペーサに与えられた荷重は、その下方の、前記一対のプレート支持部材、さらには、サイド部材の頂面に到達し、前記サイド部材で吸収されることとなる。
【０００９】
＊２項
上記１項において、『システムキッチンのカウンタートップに形成される開口の周縁に支持させるための外周フランジ部が、前記コンロ本体の上端から外方へ向かって水平方向に張り出しており、
前記トッププレートは、前記外周フランジ部を含む前記コンロ本体の上面全域を被覆し得る大きさに設定されており、
前記サイド部材は、前記コンロ本体の左右両側にて前記外周フランジ部の左右両側片部を下方から水平に支持する機能を有し、
前記プレート支持部材は、前記外周フランジ部の前記左右両側片部の上面にそれぞれ配設される』ものでは、コンロ本体の上端に外周フランジ部を具備させた、所謂、ドロップインコンロを梱包する梱包構造に関するものとなる。
【００１０】
＊３項
上記１項又は２項において、『前記トッププレートの上面全域を被覆する被覆板が設けられ、前記一対のスペーサは、前記被覆板の対向する両辺に沿って一体的に配設された角材状部材である』ものでは、トッププレートの上面全域が被覆板によって保護されると共に、前記トッププレートと梁部材との間は、前記被覆板と一体的に設けられている角材状のスペーサの高さ分、確実に距離をおいた状態に配設させることができる。
さらに、４項のように、『前記梁部材は、前記スペーサに対して直角方向に架設される複数の角材状部材からなり、前記角材状部材の底面相互あるいは頂面相互は板部材によって連結されている』ものでは、上方からの衝撃力を複数の角材状部材からなる梁部材のいずれかで受けることができ、下方のスペーサへ伝えることができる。又、これら角材状部材は、底面相互あるいは頂面相互が板部材によって連結されて一体となっている。
又、５項のように、『前記梱包材は、各々、段ボール紙を折り曲げて組み立てられることにより構成されている』ものが採用可能である。
【００１１】
【発明の効果】
本発明は、上記構成であるから次の特有の効果を有する。
上方から被梱包物の中央に与えられた衝撃は梁部材を介して左右に分散され、全てサイド部材で吸収される構成としたから、トッププレートの中央部分には荷重がかかることがない。よって、最も破損し易いトッププレートの中央部分を確実に保護することができ、保管中または搬送中に、トッププレートが不用意に変形したり損傷したりする不都合を防止することができる。特に、トッププレートがガラス製のものの場合に、傷がついたり又は割れてしまうといった危険も回避することができる。
【００１２】
２項のものでは、前記コンロ本体がドロップインコンロである場合においても、上記１項と同様の効果を得ることができる。
【００１３】
３項のものでは、上記効果に加えて、スペーサを角材状に構成して、前記トッププレートと梁部材との間の距離を確保できるようにしたから、梁部材の中央部分が外的衝撃によって下方へ撓む等、多少変形することがあっても、前記スペーサの高さ分、前記変形は吸収されることとなる。又、トッププレートの上面全域は被覆板によって被覆される構成としたから、前記トッププレートを一層確実に保護することができる。さらに、スペーサと被覆板とは一体的に設けられる構成としたから、一対のスペーサ相互間の間隔が前記被覆板によって一定に保たれ、これらスペーサが適正位置に位置決めされることとなる。
【００１４】
４項のものでは、荷重は、複数の角材状部材のいずれかで受けて、左右のスペーサへ分散させることができるから、トッププレートの中央部分へ荷重がかかる不都合を一層防止することができる。又、これら角材状部材の底面相互あるいは頂面相互を連結させておくことにより、梁部材全体の強度が増す上に、各角材状部材を適正な位置に位置決めすることができる。
【００１５】
５項のものでは、梱包材を段ボール紙で構成するようにしたから、コストダウンを図ることができる上に、撓み易いために大きな衝撃吸収力が期待できる。又、発泡樹脂製のものに比べて処分し易く、又、リサイクルも可能であるといった効果がある。
【００１６】
【発明の実施の形態】
次に、上記した本発明の実施の形態を図面に従って詳述する。
図１は、本発明実施の形態のドロップインコンロを梱包する梱包構造の分解斜視図であり、図２は本発明実施の形態の梱包構造に用いられる各種梱包材を用いて、ドロップインコンロを収納させた梱包状態の説明図であり、図３は前記梱包状態において上方から外的衝撃が加わった場合を示す説明図である。
【００１７】
この実施の形態におけるコンロは、図１に示すように、３つのガスバーナ（図示せず）を内蔵したコンロ本体（１）の上端から、システムキッチンのカウンタートップに形成されている開口の周縁に支持させるための外周フランジ部（１０）を外方へ向かって水平に張り出させた、所謂、ドロップインコンロであり、前記外周フランジ部（１０）の上面には、ガラス製のトッププレート（１２）が載置されて使用される。
【００１８】
尚、この実施の形態のドロップインコンロにおける外周フランジ部（１０）は、コンロ本体（１）の前後方向よりも左右方向に長く延長させた構成となっており、トッププレート（１２）は、前記外周フランジ部（１０）に略一致する大きさ形状に構成されていると共に、前記トッププレート（１２）には、前記ガスバーナの炎孔部（１１）を露出させるための３つの開口（１２ａ）が形成されている。
【００１９】
又、上記ドロップインコンロには、使用時にコンロ本体（１）やトッププレート（１２）に組み付けて使用される五徳（１３）や、排気ガード（１４）や、バーナリング（１５）やその他の附属部品等が具備されており、前記コンロ本体（１）の前面には、グリル部（１６）が備えられている。
【００２０】
この実施の形態に係るドロップインコンロを梱包する梱包構造は、コンロ本体（１）の左右両側方に配設されて前記外周フランジ部（１０）の左右片が係止されるサイド部材としての一対のフランジ支持体（２）（２）と、外箱（３５）内において、コンロ本体（１）の前方及び後方に配設され且つ前後方向の位置決めをする前後パット（３ａ）（３ｂ）と、前記外周フランジ部（１０）の前方に配設され且つ外箱（３５）内において外周フランジ部（１０）の前方向の位置決めをする前上パット（３ｃ）と、前記外周フランジ部（１０）の上面にその左右辺に沿って配設され且つトッププレート（１２）を収納させるための浅い段部（３０ａ）が内方に開放するように形成されているプレート支持部材としての一対のプレート収納パット（３０）（３０）と、トッププレート（１２）及び前記プレート収納パット（３０）（３０）の上方全域を被覆するように載置され且つ両側辺に沿って一対のスペーサ（３１ａ）（３１ｂ）が配設されている被覆板（３１）と、さらに前記スペーサ（３１ａ）（３１ｂ）の上方に架設され且つコンロ本体（１）の後方側に配設される後天板（３２）と、前記後天板（３２）の前方に配設され且つ五徳（１３）が収納される前天板（３３）とからなる梱包材を用いる構成とする。
【００２１】
前記被覆板（３１）の上面の左右辺に沿って設けられている前記一対のスペーサ（３１ａ）（３１ｂ）は、所定の高さを有する角材状に構成され、各種附属品が収納される上方開放の収納室が複数並列状態に形成されている。そして、これらスペーサ（３１ａ）（３１ｂ）の間の被覆板（３１）上に、バーナリング（１５）が保持されている。又、前記被覆板（３１）の前辺に沿って、排気ガード（１４）が収納される排気ガード収納パット（３４）が前記スペーサ（３１ａ）（３１ｂ）間に架設されるように設けられている。
【００２２】
又、後天板（３２）の上面の前辺及び後辺に沿った位置には、それぞれ角材状に構成された一対の梁部材（３２ａ）（３２ｂ）が上方へ突設するように形成されている。後方の梁部材（３２ｂ）には、前記スペーサ（３１ａ）（３１ｂ）と同様に、各種附属品を収納するための上方開放の複数の収納室が形成され、梁部材（３２ａ）（３２ｂ）の間の前記後天板（３２）の上面には、五徳（１３）の一つが収納される。
【００２３】
さらに、前天板（３３）の下面の前辺及び後辺に沿った各位置には、一対の梁部材（３３ａ）（３３ｂ）が下方へ突設するように形成され、これら梁部材（３３ａ）（３３ｂ）の間の前記前天板（３３）には、残り２つの五徳（１３）が収納される構成となっている。
尚、前記後天板（３２）の梁部材（３２ａ）（３２ｂ）の高さと、前天板（３３）の梁部材（３３ａ）（３３ｂ）の高さとは略同一に設定されている。
【００２４】
これら各梱包材は段ボール紙を折り畳んで組み立てられており、ドロップインコンロをこれら梱包材と共に外箱（３５）内に収納させることにより、コンロ本体（１）は、外箱（３５）内において、前後左右さらには上下に位置決めされた状態に収納される態様となる。特に、フランジ支持体（２）をコンロ本体（１）の高さよりも高く構成することにより、収納状態において、コンロ本体（１）は、使用時と同様に、外箱（３５）内において、吊り下げられた状態で収納されることとなる。
【００２５】
前記フランジ支持体（２）は、所定の形状に裁断された段ボール紙を、段ボール紙の溝に対して直角方向に順に折り曲げることにより、図１及び図２に示すように、上室（２１）と下室（２２）とを備え且つ前後方向に開放する略矩形筒状体に構成されており、フランジ支持体（２）を構成している各垂直面に沿って、前記段ボール紙の溝が走行するように構成されている。
【００２６】
尚、フランジ支持体（２）（２）の側板うち、一方の側板（２０ａ）は、一枚の段ボール紙から構成され、他方の側板（２０ｂ）は、上室（２１）と下室（２２）との境界線（２８）に沿って上下に分割された態様となっている。
又、前記側板（２０ａ）（２０ｂ）の高さは、ドロップインコンロのコンロ本体（１）の底面から外周フランジ部（１０）の裏面までの高さよりも高く設定されており、フランジ支持体（２）（２）の幅は、コンロ本体（１）の側面から外周フランジ部（１０）の左右端までの距離よりもやや狭く設定されている。
【００２７】
上記構成のフランジ支持体（２）を用いて、ドロップインコンロを外箱（３５）内に収納するには、まず、フランジ支持体（２）を外箱（３５）の短辺に沿うようにそれぞれ収納すると共に、前後パット（３ａ）（３ｂ）を外箱（３５）の長辺に沿わせてそれぞれ収納する。収納状態においては、前記フランジ支持体（２）の頂面（２３）が前後パット（３ａ）（３ｂ）よりも上方に突出している態様となる。
尚、フランジ支持体（２）は、前記境界線が形成されている他方の側板（２０ｂ）側がコンロ本体（１）側に向き、且つ、コンロ本体（１）の側面との間に所定の間隙を有して配設される。
【００２８】
そして、前記フランジ支持体（２）がコンロ本体（１）の側方に位置し、且つ、前パット（３ａ）がコンロ本体（１）の前方に、後パット（３ｂ）が後方に位置するように、ドロップインコンロを外箱（３５）内に収納する。これにより、図２に示すように、外周フランジ部（１０）の左右両側片が、フランジ支持体（２）の頂面（２３）にそれぞれ係止される態様となり、フランジ支持体（２）の高さは上述したとおりであるから、コンロ本体（１）は、使用時と同様、吊り下げられた態様で外箱（３５）内に収納されることとなる。
又、前記フランジ支持体（２）は、段ボール紙を溝に対して直角に順に折り曲げて構成されていることにより、ドロップインコンロの重量に耐え得る強度を有する構造となっている。
【００２９】
コンロ収納後、前上パット（３ｃ）を外周フランジ部（１０）の前端と外箱（３５）との間に嵌め込み、その上から、一対のプレート収納パット（３０）（３０）を載置し、前記プレート収納パット（３０）の段部（３０ａ）内にガラス製のトッププレート（１２）の両端を嵌め込んで収納する。その後、プレート収納パット（３０）（３０）の上に、両端のスペーサ（３１ａ）（３１ｂ）が載置されるように、被覆板（３１）を前記プレート収納パット（３０）（３０）に架設させる。前記スペーサ（３１ａ）（３１ｂ）に形成されている各収納室に、所定の附属部品を収納すると共に、被覆板（３１）上の所定位置に設けられている一対の起立部（３６）にバーナリング（１５）を嵌め込んで固定させる。そして、スペーサ（３１ａ）（３１ｂ）の前端近傍に、排気ガード収納パット（３４）を架設させ、その中に排気ガード（１４）を収納する。
【００３０】
前記各種部品の収納が完了した時点で、スペーサ（３１ａ）（３１ｂ）の上方に各梁部材（３２ａ）（３２ｂ）（３３ａ）（３３ｂ）が架設されるように、後天板（３２）及び前天板（３３）をそれぞれ前後に配設させる。
【００３１】
前天板（３３）に形成されている２つの開口にはそれぞれ五徳（１３）が収納されると共に、後天板（３２）の梁部材（３２ｂ）に設けた収納室には、残りの附属部品が収納され、梁部材（３２ａ）と梁部材（３２ｂ）との間の谷部には、もう一つの五徳（１３）が収納されてドロップインコンロの梱包が完了する。
【００３２】
上記した梱包状態において、外箱（３５）の上方から外的衝撃が加わった場合、荷重は、後天板（３２）の梁部材（３２ａ）（３２ｂ）と前天板（３３）が受けることとなるが、前記後天板（３２）の梁部材（３２ａ）（３２ｂ）と前天板（３３）に具備させた梁部材（３３ａ）（３３ｂ）は、それぞれ左右方向に走行する態様で形成されているため、前記荷重は、図３の二点鎖線の矢印に示すように、前記梁部材（３２ａ）（３２ｂ）（３３ａ）（３３ｂ）のいずれか又は全てを介して左右方向へ分散され、下方の被覆板（３１）のスペーサ（３１ａ）（３１ｂ）に伝達される。
【００３３】
スペーサ（３１ａ）（３１ｂ）は、被覆板（３１）の左右辺に沿って設けられているものであるから、前記荷重は、前記スペーサ（３１ａ）（３１ｂ）を介してその下方の一対のプレート収納パット（３０）（３０）にかかることとなり、破損され易いガラス製のトッププレート（１２）の中央に荷重がかかることがない。
そして、前記荷重は、外周フランジ部（１０）の左右両側片を介して、最終的には、一対のフランジ支持体（２）の頂面（２３）にかかることとなる。
【００３４】
頂面（２３）に荷重がかかった場合、前記荷重は頂面（２３）から両側板（２０ａ）（２０ｂ）に伝わり、同図に示すように、側板（２０ａ）（２０ｂ）が外方へ膨らむ方向へやや変形する。特に、コンロ本体（１）側の側板（２０ｂ）は、前記境界線（２８）がコンロ本体（１）側へずれることにより、下室（２２）が略平行四辺形状に変形する態様となる。
このように、フランジ支持体（２）の下室（２２）が変形することにより、前記フランジ支持体（２）（２）に大きな衝撃吸収力が得られ、前記下室（２２）は、クッション材として機能することとなる。
【００３５】
このように、梱包状態におけるコンロに、上方から外的衝撃が加わった場合、衝撃に伴う荷重は、各梁部材（３２ａ）（３２ｂ）（３３ａ）（３３ｂ）によってコンロの左右に分散させられ、ガラス製のトッププレート（１２）の中央部分に荷重がかかる不都合がない。そして、前記左右に分散された荷重は、外周フランジ部（１０）の左右両側片を介して、フランジ支持体（２）に伝えられ、フランジ支持体（２）で吸収されることとなるから、外的衝撃によって、トッププレート（１２）やコンロ本体（１）が損傷される不都合を確実に防止することができる。
【図面の簡単な説明】
【図１】本発明実施の形態のドロップインコンロを梱包する梱包構造の分解斜視図。
【図２】本発明実施の形態のドロップインコンロを吊り下げ状態に収納させた梱包状態を示す説明図。
【図３】図２の梱包状態において上方から外的衝撃が加わった場合を示す説明図。
【図４】従来の梱包構造の説明図。
【符号の説明】
（１）  ・・・・・・・・・・・コンロ本体
（１０）・・・・・・・・・・・外周フランジ部
（１２）・・・・・・・・・・・トッププレート
（２）  ・・・・・・・・・・・フランジ支持体（サイド部材）
（３０）・・・・・・・・・・・プレート収納パット（プレート支持部材）
（３１ａ）（３１ｂ）・・・・・・・・スペーサ
（３２ａ）（３２ｂ）（３３ａ）（３３ｂ）・・・梁部材
【図１】
2004210393.tif 000003
【図２】
2004210393.tif 000004
【図３】
2004210393.tif 000005
【図４】
2004210393.tif 000006